(57)【要約】【課題】  ミストシャワーによる浴室内の暖房を行うことができる上に、入浴者が快適にミストシャワーを浴びることができるシャワー装置を提供することにある。【解決手段】  浴室（１）の壁面（２）に取り付けられた回転式のアーム（３）があって、このアーム（３）に吐出口（４）からミストシャワーが吐出されるミストノズル（５）を内蔵し、このミストノズル（５）から吐出されるミストシャワーの温度が、上記アーム（３）が上記壁面（２）に接している時に最も高温となるようにするとともに、同アーム（３）と同壁面（２）とのなす角度に応じて上記ミストシャワーの温度が変化するようになした。【選択図】  図１
2005095393.tif 000002
【特許請求の範囲】
【請求項１】
浴室の壁面に取り付けられた回転式のアームがあって、このアームに吐出口からミストシャワーが吐出されるミストノズルを内蔵し、このミストノズルから吐出されるミストシャワーの温度が、上記アームが上記壁面に接している時に最も高温となるようにするとともに、同アームと同壁面とのなす角度に応じて上記ミストシャワーの温度が変化するようになしたことを特徴とするシャワー装置。
【請求項２】
上記アームが上記壁面から遠ざかるにつれて上記ミストシャワーの温度が低温となるようになしたことを特徴とする請求項１記載のシャワー装置。
【請求項３】
上記壁面に上記アームを取り付ける支持部が設けられているとともに、この支持部内に上記ミストシャワーとして供給される湯水を混合する混合弁が設けられて、この混合弁の調整により上記ミストシャワーの温度が変化するようになしたことを特徴とする請求項１または請求項２記載のシャワー装置。
【発明の詳細な説明】
【技術分野】
【０００１】
本発明は、シャワー装置に関するものであり、さらに詳しくは、浴室内で入浴者が快適にミストシャワーを浴びることができるシャワー装置に関するものである。
【背景技術】
【０００２】
従来のシャワー装置としては、例えば、図７に示すごとく、ミストサウナ機能付風呂の給湯器（１０）で発生した温水をミスト給湯配管（１１）を経由して浴室（１）内に導き、ここに取り付けたミストユニット（１２）のミスト用ノズル（１３）から浴室（１）内にミストシャワーを噴出する構成になっていて、浴室（１）内にはミストリモコン（１４）が取り付けられ、立ち上がり時には高温ミストを噴出し、ミストリモコン（１４）内の温度センサー（１５）が浴室（１）内の温度を検出し、これが設定温度になると、中間温ミストを噴出し、設定時間になると信号線（１６）を経由して給湯器（１０）を停止する構成により、浴室（１）内に温水ミストを噴出して暖房を行っていたものであった。
【特許文献１】特開平１０−３０７４７号公報
【発明の開示】
【発明が解決しようとする課題】
【０００３】
しかしながら、このような図７に示したシャワー装置においては、立ち上がり時に高温ミストを噴出するようになっていることから、浴室（１）内の温度が低いうちに高温ミストを噴出してしまい、湯気が浴室（１）内に大量に発生して浴室（１）の天井や壁に大量の結露水が付き、これがカビ発生の原因になるばかりでなく、噴出したミストが直接入浴者に当たって熱く感じたり、あるいは、天井や壁に大量に付着した結露水が冷めて入浴者に当たると冷たく感じたりして、このようなことから入浴者にとっては非常に不快に感じるものであった。しかも、このようなシャワー装置は、上述したように高温ミストを噴出するために、この高温ミストを入浴者がミストシャワーとして直に浴びることができるものではなかった。
【０００４】
本発明は、上述の事実に鑑みてなされたものであって、その目的とするところは、ミストシャワーによる浴室内の暖房を行うことができる上に、入浴者が快適にミストシャワーを浴びることができるシャワー装置を提供することにある。
【課題を解決するための手段】
【０００５】
上記課題を解決するために、本発明においてはつぎのような技術的手段を講じている。すなわち、本発明の請求項１に係るシャワー装置は、浴室（１）の壁面（２）に取り付けられた回転式のアーム（３）があって、このアーム（３）に吐出口（４）からミストシャワーが吐出されるミストノズル（５）を内蔵し、このミストノズル（５）から吐出されるミストシャワーの温度が、上記アーム（３）が上記壁面（２）に接している時に最も高温となるようにするとともに、同アーム（３）と同壁面（２）とのなす角度に応じて上記ミストシャワーの温度が変化するようになしたことを特徴としている。
【０００６】
また、本発明の請求項２に係るシャワー装置は、上記アーム（３）が上記壁面（２）から遠ざかるにつれて上記ミストシャワーの温度が低温となるようになしたことを特徴としている。
【０００７】
さらに、本発明の請求項３に係るシャワー装置は、上記壁面（２）に上記アーム（３）を取り付ける支持部（６）が設けられているとともに、この支持部（６）内に上記ミストシャワーとして供給される湯水を混合する混合弁（７）が設けられて、この混合弁（７）の調整により上記ミストシャワーの温度が変化するようになしたことを特徴としている。
【発明の効果】
【０００８】
本発明のシャワー装置によると、吐出口（４）からミストシャワーが吐出されるミストノズル（５）をアーム（３）が内蔵していて、このアーム（３）が浴室（１）の壁面（２）に取り付けられた回転式のものであるために、アーム（３）を所望の方向へ向けて吐出口（４）からミストシャワーを吐出させることができて、しかも、ミストノズル（５）から吐出されるミストシャワーの温度が、アーム（３）が壁面（２）に接している時に最も高温となるので、このように壁面（２）に接するようにアーム（３）を回転させて設置することで、従来の場合と同様に、ミストシャワーによる浴室（１）内の暖房を行うことができるものである。そして、アーム（３）と壁面（２）とのなす角度に応じてミストシャワーの温度が変化するために、入浴者がミストシャワーを浴びたいときには、アーム（３）を適宜回転させて設置することで、入浴者に近いところでミストシャワーを浴びることができる上に、同入浴者が快適な温度でミストシャワーを浴びることができるものである。
【０００９】
したがって、本発明は、ミストシャワーによる浴室（１）内の暖房を行うことができる上に、入浴者が快適にミストシャワーを浴びることができるものである。
【発明を実施するための最良の形態】
【００１０】
以下、この発明を実施するための最良の形態について、図面を参照しながら詳細に説明する。
【００１１】
図１の（ａ）は、本発明の一実施形態に係るシャワー装置において、浴室内の暖房時の様子を示した断面図であり、図１の（ｂ）は、同図１の（ａ）のシャワー装置において、入浴者が使用している際の様子を示した断面図である。図２は、本発明のシャワー装置に用いられる一実施形態に係るアームの構造を示した平面図である。図３は、本発明の一実施形態に係るシャワー装置において、内部の機構を示した概略図である。図４は、本発明の他の一実施形態に係るシャワー装置において、内部の機構を示した概略図である。図５の（ａ）は、本発明の一実施形態に係るシャワー装置において、浴室内の暖房時の様子を示したアーム部分のみの断面図であり、図５の（ｂ）は、同図５の（ａ）のシャワー装置において、入浴者が使用している際の様子を示したアーム部分のみの断面図である。図６は、図５と同様に、アーム部分のみの斜視図である。
【００１２】
本発明のシャワー装置としては、図１ないし図６に示すごとく、浴室（１）の壁面（２）に取り付けられた回転式のアーム（３）があって、このアーム（３）に吐出口（４）からミストシャワーが吐出されるミストノズル（５）を内蔵し、このミストノズル（５）から吐出されるミストシャワーの温度が、上記アーム（３）が上記壁面（２）に接している時に最も高温となるようにするとともに、同アーム（３）と同壁面（２）とのなす角度に応じて上記ミストシャワーの温度が変化するようになしているものである。
【００１３】
上記アーム（３）は、図１に示すごとく、浴室（１）の壁面（２）に取り付けられているものである。このアーム（３）は、図２に示すごとき左右に一対形成されていて、回転式のものであり、上記図１の（ａ）および（ｂ）に示すごとく、所望の角度に回転させて使用することができるものである。このアーム（３）には、同アーム（３）の位置を検知するリードスイッチなどの検知装置が設けられていてもかまわないものである。なお、浴室（１）には、ステンレスなどの金属製、人造大理石などの樹脂製、あるいは、木製で形成された浴槽やカウンター、鏡といったものが、必要に応じて設置されていてもかまわないものである。
【００１４】
上記ミストノズル（５）は、ミストシャワーが吐出されるものである。このミストノズル（５）の先端が吐出口（４）となっていて、吐出口（４）から直にミストシャワーが吐出されるものである。このミストノズル（５）は、上記アーム（３）に内蔵されているものである。このミストノズル（５）は、図２に示すごとく、１ないし複数設けられているものであって、必要に応じて、ミストノズル（５）の全箇所からミストシャワーが吐出されるようになっていてもかまわないし、図１の（ａ）および（ｂ）に示すごとく、ミストノズル（５）の１箇所からミストシャワーが吐出されるようになっていてもかまわないものである。
【００１５】
上記ミストノズル（５）から吐出されるミストシャワーの温度が、上記アーム（３）が上記壁面（２）に接している時に最も高温となるようになされているものである。そして、上記アーム（３）と壁面（２）とのなす角度に応じて上記ミストシャワーの温度が変化するようになされているものである。
【００１６】
具体的には、上記ミストノズル（５）は、図１、図３および図４に示すごとく、湯水を供給する配管（２０）と繋がっているものであり、その配管（２０）の中でも同図３および図４に示すごとき熱湯に水が混ぜられた低温配管（２０ｃ）と熱湯が直に送られる高温配管（２０ｄ）とにそれぞれ直に繋げられているものである。
【００１７】
そして、図３および図４に示すごとく、上記低温配管（２０ｃ）は、湯水を供給する源側では水道の水が直に送られる水配管（２０ａ）と熱湯が送られる熱湯配管（２０ｂ）とに繋がっており、温調機（９）や図３に示す第１の電磁弁（１７）や図４に示す三方電磁弁（１９）にて水配管（２０ａ）からの水と熱湯配管（２０ｂ）からの熱湯が混ぜられて低温に調節されているものである。
【００１８】
また、図３および図４に示すごとく、上記高温配管（２０ｄ）は、上述したように熱湯が直に送られるものであり、湯水を供給する源側では熱湯が送られる熱湯配管（２０ｂ）のみに繋がっているものである。そして、高温配管（２０ｄ）へ熱湯を供給する必要があるかないかによって、図３に示す第２の電磁弁（１８）や図４に示す三方電磁弁（１９）を開閉して、ミストノズル（５）へ熱湯を供給する量を調節することができるようになっているものである。例えば、上記アーム（３）が上記壁面（２）に接していない場合は、この高温配管（２０ｄ）を閉じるように図３に示す第２の電磁弁（１８）や図４に示す三方電磁弁（１９）にて調節するものである。
【００１９】
本発明は、このような構成をとることによって、吐出口（４）からミストシャワーが吐出されるミストノズル（５）をアーム（３）が内蔵していて、このアーム（３）が浴室（１）の壁面（２）に取り付けられた回転式のものであるために、アーム（３）を所望の方向へ向けて吐出口（４）からミストシャワーを吐出させることができて、しかも、ミストノズル（５）から吐出されるミストシャワーの温度が、アーム（３）が壁面（２）に接している時に最も高温となるので、図１の（ａ）に示すごとく、壁面（２）に接するようにアーム（３）を回転させて設置することで、従来の場合と同様に、ミストシャワーによる浴室（１）内の暖房を行うことができるものである。そして、アーム（３）と壁面（２）とのなす角度に応じてミストシャワーの温度が変化するために、図１の（ｂ）に示すごとく、入浴者（８）がミストシャワーを浴びたいときには、アーム（３）を適宜回転させて設置することで、入浴者（８）に近いところでミストシャワーを浴びることができる上に、同入浴者（８）が快適な温度でミストシャワーを浴びることができるものである。
【００２０】
したがって、本発明は、ミストシャワーによる浴室（１）内の暖房を行うことができる上に、入浴者（８）が快適にミストシャワーを浴びることができるものである。
【００２１】
また、図５の（ｂ）に示すごとく、上記アーム（３）が上記壁面（２）から遠ざかるにつれて上記ミストシャワーの温度が低温となるようになしているものであると、入浴者（８）によってミストシャワーを浴びたい温度に違いがあってもアーム（３）を壁面（２）に対して遠近の調節をするだけでミストシャワーの温度を簡単に変えることができるものであり、結果として、入浴者（８）にとってより一層快適な温度でミストシャワーを浴びることができるものである。
【００２２】
さらに、図５の（ａ）、（ｂ）および図６に示すごとく、上記壁面（２）に上記アーム（３）を取り付ける支持部（６）が設けられているとともに、この支持部（６）内に上記ミストシャワーとして供給される湯水を混合する混合弁（７）が設けられて、この混合弁（７）の調整により上記ミストシャワーの温度が変化するようになしているものであると、支持部（６）にてアーム（３）を壁面（２）に簡単に取り付けることができて、入浴者（８）によってミストシャワーを浴びたい温度に違いがあっても支持部（６）内にミストシャワーとして供給される湯水を混合する混合弁（７）が設けられていることでこの混合弁（７）の調整によりミストシャワーの温度を簡単に変えることができるものであり、結果として、入浴者（８）にとってより一層快適な温度でミストシャワーを浴びることができるものである。
【００２３】
具体的には、図５の（ａ）、（ｂ）および図６に示すごとく、上記アーム（３）と上記壁面（２）とのなす角度に応じて、半円状の蓋体として形成された混合弁（７）が移動して、この混合弁（７）の移動により、上記ミストノズル（５）に繋がっている熱湯に水が混ぜられた低温配管（２０ｃ）と熱湯が直に送られる高温配管（２０ｄ）とが開いたり閉じたりして、配管を流れる湯水の流路が切り換えられるものである。
【００２４】
例えば、図５の（ａ）に示す場合であると、アーム（３）が壁面（２）に接している時であり、この場合、熱湯に水が混ぜられた低温配管（２０ｃ）は混合弁（７）により閉じられており、熱湯が直に送られる高温配管（２０ｄ）は混合弁（７）により開いているものである。そして、図５の（ｂ）に示す場合であると、アーム（３）が壁面（２）に対してある程度の角度をなしているものであるが、この場合、熱湯に水が混ぜられた低温配管（２０ｃ）は混合弁（７）によりアーム（３）が壁面（２）に対しての角度が増すごとに開いていき、逆に、熱湯が直に送られる高温配管（２０ｄ）は混合弁（７）によりアーム（３）が壁面（２）に対しての角度が増すごとに閉じていくものである。このようにして、混合弁（７）の調整によりミストシャワーの温度が変化するようにできる上に、アーム（３）が壁面（２）から遠ざかるにつれてミストシャワーの温度が低温となるようにすることもできるものである。
【図面の簡単な説明】
【００２５】
【図１】（ａ）は、本発明の一実施形態に係るシャワー装置において、浴室内の暖房時の様子を示した断面図であり、（ｂ）は、（ａ）のシャワー装置において、入浴者が使用している際の様子を示した断面図である。
【図２】本発明のシャワー装置に用いられる一実施形態に係るアームの構造を示した平面図である。
【図３】本発明の一実施形態に係るシャワー装置において、内部の機構を示した概略図である。
【図４】本発明の他の一実施形態に係るシャワー装置において、内部の機構を示した概略図である。
【図５】（ａ）は、本発明の一実施形態に係るシャワー装置において、浴室内の暖房時の様子を示したアーム部分のみの断面図であり、（ｂ）は、（ａ）のシャワー装置において、入浴者が使用している際の様子を示したアーム部分のみの断面図である。
【図６】図５と同様に、アーム部分のみの斜視図である。
【図７】一従来例に係るシャワー装置の概略を示した説明図である。
【符号の説明】
【００２６】
１    浴室
２    壁面
３    アーム
４    吐出口
５    ミストノズル
６    支持部
７    混合弁
【図１】
2005095393.tif 000003
【図２】
2005095393.tif 000004
【図３】
2005095393.tif 000005
【図４】
2005095393.tif 000006
【図５】
2005095393.tif 000007
【図６】
2005095393.tif 000008
【図７】
2005095393.tif 000009